(57)【要約】【課題】            載物台の材料とベルトの材料の違いによる熱膨張差でベルトに異常な力が掛かるのを防止し、かつ、ベルトの伸縮に対応しベルトのテンションを略一定に保時可能にする。【解決手段】        載物台７にねじ１ａを持つ複数の軸１１叉は筒を回動自在に設け、これらの軸１１叉は筒に取り付けられたスプロケット１またはプーリにベルト３を懸回し、このベルト３の一端を取っ手部４ａを備えたスライド４に係止し、そのベルト３の他端にスライド４に対し摺動可能にはめ込まれた緊張部材６を係止し、この緊張部材６を、ベルト３を緊張する方向にばね５によって予圧した構成である。【選択図】          図２
2009300072.tif 000002
【特許請求の範囲】
【請求項１】
載せ物台に水平回動自在に設けられたねじを持つ複数の軸叉は筒と、
これらの軸叉は筒に取り付けられたスプロケットまたはプーリと、
これらのスプロケット叉はプーリに懸回されたベルトと、
このベルトの一端を係止する取っ手部を備えたスライドと、
前記ベルトの他端に係止されて前記スライドに対し摺動可能にはめ込まれた緊張部材と、を備え、
該緊張部材が、前記ベルトを緊張する方向にばねによって予圧されるように構成されてなることを特徴とする上下調整可能な冷蔵庫内の載物台。
【発明の詳細な説明】
【技術分野】
【０００１】
本発明は、上下調整可能な載物台に関し、特に冷蔵庫の棚に適用して好ましいものである。すなわち、本発明は、冷蔵庫の棚等にて、既に置かれている物と高さの異なる物を置く場合に、効率良くスペースを使うために素早く高さの調整ができる冷蔵庫内の載物台に関する。
【背景技術】
【０００２】
例えば冷蔵庫では、奥行きの中間に梁を配しウォーム・ホイールにてウォームを回すことによって上下させていたし、テーブルではロック機構を解除し台を直接手で上下させる方法にて行なわれていた。また、特許文献１の原出願では、冷蔵庫などの棚（載物台）を複数箇所に設けたスプロケットを、これに懸回したベルトを介して同時に回転操作することで、前記載物台を昇降可能にするものを提案している。
【特許文献１】特開２０００−２９７８９８号公報
【発明の開示】
【発明が解決しようとする課題】
【０００３】
ウォームを回すのでは時間がかかるし、ロック機構を解除する方法では、台が重い時ロックを外した瞬間に台が下がり危険を伴うし、又、ロック解除・台の上下の２動作となり操作が繁雑で所定の位置にセットし難い等の難点が有った。
また、ベルトを介しスプロケットを回転操作することにより、ねじ軸を回転させて載物台を昇降するものでは、ベルトは、温度の変化、棚板に載置された収納品の重量によりベルトにかかる負荷の変化および性能劣化、等により伸縮するため、スプロケットの回転、つまり載物台を支持するねじ転の回転が不規則、不安定になるおそれがあるし、載物台を支持する複数のねじ軸で回転が不均一になるおそれもある。
本発明は、このような課題を解決せんと提案されたものである。
【課題を解決するための手段】
【０００４】
前記課題を達成するため、本発明にかかる上下調整可能な冷蔵庫内の載物台は、載せ物台に水平回動自在に設けられたねじを持つ複数の軸叉は筒と、これらの軸叉は筒に取り付けられたスプロケットまたはプーリと、これらのスプロケット叉はプーリに懸回されたベルトと、このベルトの一端を係止する取っ手部を備えたスライドと、前記ベルトの他端に係止されて前記スライドに対し摺動可能にはめ込まれた緊張部材と、を備え、該緊張部材が、前記ベルトを緊張する方向にばねによって予圧されるように構成されてなることを特徴とする。
【０００５】
この構成によりベルトはばねにて緊張する方向に予圧されているので、ベルトが温度の変化、棚板に載置された収納品の重量によりベルトにかかる負荷の変化および性能劣化、等により伸縮しても、ばねがこの伸縮に対応して伸縮し、ベルトの張力を略一定に保つことが可能となる。
【発明の効果】
【０００６】
以上詳細に説明した通り、本発明にかかる上下調整可能な冷蔵庫内の載物台によれば、次のような効果を奏する。
（１）取っ手部の直線操作で、載物台（棚）を上下に容易に調整して、載物台の間隔や高さを調節できる。
【０００７】
（２）ベルトはばねにて緊張する方向に予圧されているので、ベルトが温度の変化、載物台に載置された収納品の重量によりベルトにかかる負荷の変化および性能劣化、等により伸縮しても、ばねがこの伸縮に対応して伸縮し、ベルトの張力を略一定に保つことができ、これによりベルトを介しスプロケットに伝達する回転、つまり載物台を支持する各ねじ軸の回転を略均一とすることができる。
【０００８】
（３）直接操作なので操作を素早く行うことができるし、ベルトを載物台の外周に配することにより操作距離を大きくとれる。
（４）摩擦はスプロケットを設ける四隅のみで少なくて済むので、操作は軽く行うことができる。
（５）載物台自身が重い場合や載物台に物が載置されて重い場合でも、足にばねが内蔵されて、載物台を支えて（付勢して）いるので、軽く操作することができる。
（６）互に螺合する足と軸のねじのピッチ角を小さくすることによって、ロック機構を必要とせず操作が簡単であるし、操作力が軽くて済む。
【発明を実施するための最良の形態】
【０００９】
以下、本発明の実施の形態を図面を参照して詳細に説明する。図１は本発明の実施の形態を示す全体斜視図、図２は本発明の実施の形態を示す要部拡大図である。
【００１０】
同図において、載物台７には螺旋溝（ねじ）１ａが設けられた軸１１が、水平方向に回転自在に設けられ、この軸１１には軸１１の螺旋溝（ねじ）１ａに相対する螺旋溝（ねじ）２ａ（図３参照）が設けられた足を形成する足板２が螺合される。この足板２は、上下の移動は自由であるが回転不可となっていると共に、一端が載物台７より少し外出２ｂしている。
【００１１】
前記軸１１にはスプロケット１が固着され、この軸１１及びスプロケット１の構成は載物台７の四隅に設けられ、このスプロケット１にはベルト３が懸回されている。このベルト３は載物台７の外周付近に配される。このベルト３の一端は取っ手部４ａを備えたスライド４に係止され、他端はスライド４にはめ込まれたばね５にて予圧された緊張部材６に係止されている。
前記ばね５は、ベルト３を緊張する方向に予圧して、ベルト３が温度の変化、載物台７に載置された収納品の重量によりベルト３にかかる負荷の変化および性能劣化、等により伸縮しても、この伸縮に対応して伸縮させベルト３の張力を略均一に保持させるものである。また、前記ばね５は、載物台７の材料とベルト３の材料の違いにより温度変化による熱膨張差で、ベルト３の張力が変化するのを、これに対応して一定に保持することもできる。
【００１２】
従って、取っ手部４ａにてスライド４を左右に移動させると、このスライド４に係止されているベルト３も移動（回転）してスプロケット１を回転させる。このスプロケット１の回転で軸１１が回転するので、その軸１１に螺合され、かつ回転不可で上下移動自由となっている足板２は、上下に移動する。
【００１３】
図３は使用状態を説明する要部断面図である。載物台７は、足板２の載物台７より外出２ｂした部分を、係止部１２に係止させてセットする。この係止部１２は、例えば、使用する対象が冷蔵庫であれば、冷蔵庫の内壁面に設けられるものであり、載物台７は冷蔵庫内にセットされる。この状態で取っ手部４ａを左右に移動させると、この動きはスライド４、ベルト３及びスプロケット１を介して軸１１に伝達されるから足板２が上下に移動して、つまり相対的に軸１１とともに載物台７が上下移動し、この載物台７の高さ位置が調整されることになる。例えば冷蔵庫内で載物台７が数段に設けられている場合では、上下の載物台７、７間で間隔が調整されることになる。
【００１４】
図４は前記実施の形態の変形例を示すもので、前記足板２を筒状の筒足８とした場合であり、上下動自在の筒足８が軸１１に螺合されているもので、他は前記実施の形態と同様であるので同一符号を付して詳細な説明は省略する。しかして、取っ手部４ａにて筒足８を進退させ長さを調整することによって載物台７の高さを調節できる。
【００１５】
なお、前記軸１１の螺旋溝（ねじ）１ａと、足板２また足筒８の螺旋溝（ねじ）２ａは、ピッチ角が小さいのが好ましい。螺旋溝１ａ及び２ａのピッチ角が小さいと、ロック機構を必要とせず操作が簡単であるし、操作距離を長くとれる為操作力が軽くて済むからである。
【００１６】
図５は、本発明の他の実施の形態を示す一部破断斜視図である。本例は載物台７自身が重い場合に操作力を軽くすべく載物台７と足板２または筒足８間にばね９を介在させたものである。即ち、筒足８内に持上げばね９を備えて、螺旋溝同志に力が掛かり操作力が重くなるのを防いでいる。これにより、載物台７に物が載置されて重くなっている場合にも有効となる。尚、ベルトは穴の空いたものでなくともタイミングベルトでも良いし、チェーンでも可能である。
【図面の簡単な説明】
【００１７】
【図１】本発明の実施の形態を示す全体斜視図である。
【図２】本発明の実施の形態を示す要部拡大図である。
【図３】本発明の使用状態を説明する要部断面図である。
【図４】本発明の実施の形態の変形例を示す要部断面図である。
【図５】本発明の他の実施の形態を示す一部破断斜視図である。
【符号の説明】
【００１８】
１  スプロケット
１ａ  螺旋溝（ねじ）
２  足板
２ａ  螺旋溝（ねじ）
３  ベルト
４  スライド
４ａ  取っ手部
５  ばね
６  緊張部材
７  載物台
８  筒足
９  持上げばね
１１  軸
【図１】
2009300072.tif 000003
【図２】
2009300072.tif 000004
【図３】
2009300072.tif 000005
【図４】
2009300072.tif 000006
【図５】
2009300072.tif 000007